(57)【要約】【課題】遊技店と遊技客の間でトラブルが生じることを防止することを課題とする。【解決手段】カード処理ユニット５０は、消費税内包玉貸要求金額「１０００円」から消費税分の金額が除かれた消費税抜き玉貸要求金額「９５２．３８円」に相当する貸玉数「２３９個」のうち、「遊技機側投出機構」の投出単位（２５個／回）の倍数であり、かつ貸玉数に最も近い倍数となる玉数「２２５個」（＝２５個／回×９回）のパチンコ玉を「遊技機側投出機構」に貸し出すように指示するとともに、「遊技機側投出機構」の投出単位に満たずに投出不可能となる端数「１４個」のパチンコ玉を「処理装置側投出機構」に貸し出すように指示し、その上で、「処理装置側投出機構」による端数分のパチンコ玉の払出し過程を表示部５２にて個数表示させる。【選択図】        図３
2007289514.tif 000002
【特許請求の範囲】
【請求項１】
遊技媒体投出機構を有する遊技機と通信可能に接続して隣接配置され、価値付けされた有価価値を特定可能な記録媒体又は貨幣を受け入れて、遊技媒体貸出要求を受け付けた貸出要求額に応じた個数の遊技媒体の貸出処理を行う遊技媒体貸出処理装置において、
遊技媒体を任意の個数で投出可能な処理装置側投出機構を内蔵し、
前記遊技媒体貸出要求を受け付けた貸出要求金額を消費税が含まれた消費税内包貸出要求金額として前記遊技媒体の貸し出しに課される消費税を徴収して遊技媒体の貸出処理を行う場合に、前記消費税内包貸出要求金額から当該消費税分の金額が除かれた消費税抜き貸出要求金額に相当する貸出数のうち、少なくとも遊技機側投出機構の投出単位に満たない端数分の遊技媒体を前記処理装置側投出機構に貸し出すように指示する貸出処理手段と、
前記処理装置側投出機構によって投出される遊技媒体の払出し過程を個数表示するように制御する表示制御手段と
を備えたことを特徴とする遊技媒体貸出処理装置。
【請求項２】
前記表示制御手段は、前記処理装置側投出機構によって投出される遊技媒体の払出し過程に加えて、前記遊技機側投出機構によって投出される遊技媒体の払出し過程を個数表示するように制御することを特徴とする請求項１に記載の遊技媒体貸出処理装置。
【請求項３】
前記表示制御手段は、前記処理装置側投出機構によって投出される遊技媒体の払出し過程を個数表示するのに対し、前記遊技機側投出機構によって投出される遊技媒体の払出し過程を残度数表示するように制御することを特徴とする請求項１に記載の遊技媒体貸出処理装置。
【請求項４】
前記表示制御手段は、前記処理装置側投出機構によって投出される遊技媒体の払出し過程を前記遊技機に設けられた所定の表示部にて個数表示するように制御することを特徴とする請求項１、２または３に記載の遊技媒体貸出処理装置。
【請求項５】
遊技媒体投出機構を有する遊技機と通信可能に接続して隣接配置され、価値付けされた有価価値を特定可能な記録媒体又は貨幣を受け入れて、遊技媒体貸出要求を受け付けた貸出要求額に応じた個数の遊技媒体の貸出処理を行う遊技媒体貸出処理装置に用いる遊技媒体貸出処理方法において、
遊技媒体を任意の個数で投出可能な処理装置側投出機構を内蔵し、
前記遊技媒体貸出要求を受け付けた貸出要求金額を消費税が含まれた消費税内包貸出要求金額として前記遊技媒体の貸し出しに課される消費税を徴収して遊技媒体の貸出処理を行う場合に、前記消費税内包貸出要求金額から当該消費税分の金額が除かれた消費税抜き貸出要求金額に相当する貸出数のうち、少なくとも遊技機側投出機構の投出単位に満たない端数分の遊技媒体を前記処理装置側投出機構に貸し出すように指示する貸出処理工程と、
前記処理装置側投出機構によって投出される遊技媒体の払出し過程を個数表示するように制御する表示制御工程と
を含んだことを特徴とする遊技媒体貸出処理方法。
【発明の詳細な説明】
【技術分野】
【０００１】
本発明は、遊技媒体投出機構を有する遊技機と通信可能に接続して隣接配置され、価値付けされた有価価値を特定可能な記録媒体又は貨幣を受け入れて、遊技媒体貸出要求を受け付けた貸出要求額に応じた個数の遊技媒体の貸出処理を行う遊技媒体貸出処理装置及び遊技媒体貸出処理方法に関する。
【背景技術】
【０００２】
従来より、パチンコ玉やメダルなどの遊技媒体を貸し出す遊技媒体貸出装置として、投入された記録媒体の価値（例えば、貨幣の金額または金額に相当する価値を示す価値データ）に基づいて遊技媒体を貸し出すカード処理ユニットがよく知られている（例えば、特許文献１参照。）。
【０００３】
また、遊技客によって投入された紙幣を受け入れた際にユニット単体でカードを発行し、遊技客からのカードの読込要求を受けてそのカードを読み込み、さらに遊技媒体の貸出要求を受け付けて所定数量の遊技媒体を遊技機の受け皿（貯留領域）へ投出するカード処理ユニットも提案されている（例えば、特許文献２参照。）。
【０００４】
これらのカード処理ユニットでは、たとえば「玉貸要求」を受け付けた有価価値に相当する貸玉数のパチンコ玉を遊技機内部の玉投出機構（以下、「遊技機側投出機構」と言う）に貸し出すように指示してパチンコ玉を投出させる玉貸し処理を行っている。なお、この「遊技機側投出機構」は、「２５個／回」の投出単位でパチンコ玉の投出を行うものが一般的である。
【０００５】
ここで、かかるカード処理ユニットでは、遊技媒体の払出しが終了したか否かを遊技客及び遊技店の双方に明示し、遊技店と遊技客の間でトラブルが生じることを防止するために、「遊技機側投出機構」による払出し過程を残度数表示している。
【０００６】
例えば、プリペイドカードの残度数が「５」である場合に５度数分のパチンコ玉を投出するのであれば、１度数分のパチンコ玉「２５個」を投出する度に、残度数「５」→残度数「４（点滅）」→残度数「４」→・・・→残度数「０」というように払出し過程を残度数表示する。なお、この残度数「４（点滅）」は、残度数「５」から残度数「４」の１度数分のパチンコ玉を投出している過渡期の状態を示す。
【０００７】
【特許文献１】特開２００４−２２２９７９号公報
【特許文献２】特開２０００−１４０３９４号公報
【発明の開示】
【発明が解決しようとする課題】
【０００８】
ところで、かかるカード処理ユニットにて貸出要求を受け付けた金額（度数）から消費税分の金額（度数）を減じて遊技媒体を貸し出す「消費税徴収対策」を行う場合には、「遊技機側投出機構」の投出単位に満たない遊技媒体については、カード処理ユニットに新たに付設した投出機構（以下、「処理装置側投出機構」と言う）から投出する必要がある。
【０００９】
しかしながら、上記した特許文献１及び２のカード処理ユニットを援用して「消費税徴収対策」を行ったとしても、「遊技機側投出機構」による払出し過程を残度数表示することしかできないので、「処理装置側投出機構」から「遊技機側投出機構」の投出単位に満たない遊技媒体（端数分の遊技媒体）を投出している最中に投出エラーが生じてしまったならば、遊技店及び遊技客は、端数分の遊技媒体の払出し可否を把握することができず、遊技店と遊技客の間でトラブルが生じてしまうという問題がある。
【００１０】
そこで、本発明は、上述した従来技術による課題（問題点）を解消するためになされたものであり、端数分の遊技媒体の払出し可否を明示し、もって遊技店と遊技客の間でトラブルが生じることを防止することができる遊技媒体貸出処理装置及び遊技媒体貸出処理方法を提供することを目的とする。
【課題を解決するための手段】
【００１１】
上述した課題を解決し、目的を達成するために、請求項１の発明に係る遊技媒体貸出処理装置は、遊技媒体投出機構を有する遊技機と通信可能に接続して隣接配置され、価値付けされた有価価値を特定可能な記録媒体又は貨幣を受け入れて、遊技媒体貸出要求を受け付けた貸出要求額に応じた個数の遊技媒体の貸出処理を行う遊技媒体貸出処理装置において、遊技媒体を任意の個数で投出可能な処理装置側投出機構を内蔵し、前記遊技媒体貸出要求を受け付けた貸出要求金額を消費税が含まれた消費税内包貸出要求金額として前記遊技媒体の貸し出しに課される消費税を徴収して遊技媒体の貸出処理を行う場合に、前記消費税内包貸出要求金額から当該消費税分の金額が除かれた消費税抜き貸出要求金額に相当する貸出数のうち、少なくとも遊技機側投出機構の投出単位に満たない端数分の遊技媒体を前記処理装置側投出機構に貸し出すように指示する貸出処理手段と、前記処理装置側投出機構によって投出される遊技媒体の払出し過程を個数表示するように制御する表示制御手段とを備えたことを特徴とする。
【００１２】
また、請求項２の発明に係る遊技媒体貸出処理装置は、請求項１の発明において、前記表示制御手段は、前記処理装置側投出機構よって投出される遊技媒体の払出し過程に加えて、前記遊技機側投出機構によって投出される遊技媒体の払出し過程を個数表示するように制御することを特徴とする。
【００１３】
また、請求項３の発明に係る遊技媒体貸出処理装置は、請求項１の発明において、前記表示制御手段は、前記処理装置側投出機構よって投出される遊技媒体の払出し過程を個数表示するのに対し、前記遊技機側投出機構によって投出される遊技媒体の払出し過程を残度数表示するように制御することを特徴とする。
【００１４】
また、請求項４の発明に係る遊技媒体貸出処理装置は、請求項１、２または３の発明において、前記表示制御手段は、前記処理装置側投出機構によって投出される遊技媒体の払出し過程を前記遊技機に設けられた所定の表示部にて個数表示するように制御することを特徴とする。
【００１５】
また、請求項５の発明に係る遊技媒体貸出処理方法は、遊技媒体投出機構を有する遊技機と通信可能に接続して隣接配置され、価値付けされた有価価値を特定可能な記録媒体又は貨幣を受け入れて、遊技媒体貸出要求を受け付けた貸出要求額に応じた個数の遊技媒体の貸出処理を行う遊技媒体貸出処理装置に用いる遊技媒体貸出処理方法において、遊技媒体を任意の個数で投出可能な処理装置側投出機構を内蔵し、前記遊技媒体貸出要求を受け付けた貸出要求金額を消費税が含まれた消費税内包貸出要求金額として前記遊技媒体の貸し出しに課される消費税を徴収して遊技媒体の貸出処理を行う場合に、前記消費税内包貸出要求金額から当該消費税分の金額が除かれた消費税抜き貸出要求金額に相当する貸出数のうち、少なくとも遊技機側投出機構の投出単位に満たない端数分の遊技媒体を前記処理装置側投出機構に貸し出すように指示する貸出処理工程と、前記処理装置側投出機構によって投出される遊技媒体の払出し過程を個数表示するように制御する表示制御工程とを含んだことを特徴とする。
【発明の効果】
【００１６】
本発明によれば、遊技媒体を任意の個数で投出可能な処理装置側投出機構を内蔵し、遊技媒体貸出要求を受け付けた貸出要求金額を消費税が含まれた消費税内包貸出要求金額として遊技媒体の貸し出しに課される消費税を徴収して遊技媒体の貸出処理を行う場合に、消費税内包貸出要求金額から当該消費税分の金額が除かれた消費税抜き貸出要求金額に相当する貸出数のうち、少なくとも遊技機側投出機構の投出単位に満たない端数分の遊技媒体を「処理装置側投出機構」に貸し出すように指示し、「処理装置側投出機構」によって投出される遊技媒体の払出し過程を個数表示するように制御することとしたので、端数分の遊技媒体の払出し可否を明示することができ、遊技店と遊技客の間でトラブルが生じることを防止することが可能な遊技媒体貸出処理装置及び遊技媒体貸出処理方法が得られるという効果を奏する。
【００１７】
また、本発明によれば、「処理装置側投出機構」によって投出される遊技媒体の払出し過程に加えて、「遊技機側投出機構」によって投出される遊技媒体の払出し過程を個数表示するように制御することとしたので、全払出し過程の払出し可否を明示することができ、遊技店と遊技客の間でトラブルが生じることをより確実に防止することが可能な遊技媒体貸出処理装置が得られるという効果を奏する。
【００１８】
また、本発明によれば、「処理装置側投出機構」によって投出される遊技媒体の払出し過程を個数表示するのに対し、「遊技機側投出機構」によって投出される遊技媒体の払出し過程を残度数表示するように制御することとしたので、「遊技機側投出機構」及び「処理装置側投出機構」における投出切換えの契機を明示することができ、遊技店による消費税の徴収行為をより明確に明示しながらも端数分の遊技媒体の払出し可否を明示することが可能な遊技媒体貸出処理装置が得られるという効果を奏する。
【００１９】
また、本発明によれば、「処理装置側投出機構」によって投出される遊技媒体の払出し過程を遊技機に設けられた所定の表示部にて個数表示するように制御することとしたので、遊技媒体の貸出操作の受付、並びに、「処理装置側投出機構」による払出し過程の個数表示の双方を遊技機に行わせることが可能な遊技媒体貸出処理装置が得られるという効果を奏する。
【発明を実施するための最良の形態】
【００２０】
以下に添付図面を参照して、本発明に係る遊技媒体貸出処理装置（遊技媒体貸出処理方法）の好適な実施例を詳細に説明する。なお、以下では、本発明に係る遊技媒体貸出処理装置（以下、カード処理ユニットと呼称する）の概要および特徴を説明した後に、実施例１に係るカード処理ユニットを説明し、最後に、他の実施例として種々の変形例（実施例２）を説明することとする。
【００２１】
また、ここでは、本発明に係る遊技媒体貸出処理装置（遊技媒体貸出処理方法）を「パチンコ玉」の玉貸し処理を行うカード処理ユニットに適用した場合を説明するが、本発明はこれに限定されるものではなく、「メダル」のメダル貸し処理をおこなうカード処理ユニットにも同様に適用することができる。
【実施例１】
【００２２】
以下の実施例１では、実施例１に係るカード処理ユニットの概要および特徴、システムを構成する各装置の構成および処理の流れを順に説明する。
【００２３】
（概要および特徴）
まず最初に、本発明に係る遊技システムの全体構成を説明する。図１は、本発明に係る遊技システムの概略構成を示すブロック図である。同図に示すように、遊技店内に設置される遊技システムは、ターミナルコントローラ（以下、Ｔ／Ｃと称す。）１０を中心にして、プリペイドカード管理Ｔ／Ｃ２０、「島」と呼ばれるグループごとに設けられた島コントローラ３０およびカード発行機６０が接続された構成となり、さらに、島コントローラ３０には、各島に設置された複数のパチンコ機４０それぞれに併設されたカード処理ユニット５０が接続されている。
【００２４】
この遊技システムでは、従来から用いられている会員カードＭＣ（会員登録を行った遊技者（会員）に対して遊技店から発行され、発行店の識別情報や会員コードなどの会員識別情報が記憶される）や、プリペイドカードＰＣ（カード発行機６０により遊技者に対して発行され、発行店の識別情報、カード固有の識別コード、発行額、カード種別などが記録される）を記録媒体として用いることができる。
【００２５】
パチンコ機４０は、パチンコ玉を遊技領域に発射して遊技者が遊技を行う装置であり、カード処理ユニット５０と連動する動作としては、カード処理ユニット５０から玉貸し指示を受け付けた場合に、内部の玉投出機構部４５から２５個のパチンコ玉を投出し、この時、２５個のパチンコ玉の投出を正常に完了したならば、正常払出し応答をカード処理ユニット５０に返信する処理を行う。
【００２６】
また、カード処理ユニット５０は、プリペイドカードＰＣに関連付けられた度数の残数（以下、残度数という）や、会員カードＭＣに価値付けられた貯玉数を上限としてパチンコ玉の貸出し処理を行うことを主機能とするものであるが、本実施例１では、「遊技機側投出機構」の投出単位に満たない端数分の遊技媒体をカード処理ユニット５０にて払出すために、後述する玉投出機構部（ノズル）５６Ａが付設されている。なお、このカード処理ユニット５０は、遊技店に設置された複数のパチンコ機４０それぞれに対して１台ずつペアとなるように用意され、パチンコ機４０の相互間に挟まれる形で設置されている。
【００２７】
カード発行機６０は、現金が入金された場合に、該入金金額に応じた有価価値（度数）が関連付けられるプリペイドカードＰＣの発行処理並びにプリペイドカードＰＣに関連付けられた度数に対する加算処理を主機能とするものであり、遊技店に数台設置されている。
【００２８】
遊技者は、カード発行機６０から発行されたプリペイドカードＰＣをカード処理ユニット５０に挿入して、パチンコ玉の貸出操作をおこなうことで、遊技者はパチンコ玉を借り受けることができ、もってパチンコ遊技を行うことが可能となる。
【００２９】
これらのパチンコ機４０、カード処理ユニット５０およびカード発行機６０は、各島に設けた島コントローラ３０を通じてターミナルコントローラ（Ｔ／Ｃ）１０と称される管理装置の制御下にある。
【００３０】
Ｔ／Ｃ１０は、遊技店に少なくとも１台設置してあり、設置した遊技店の統括管理、例えばカード管理、会員の管理、売上管理などをおこなうとともに、プリペイドカードＰＣ並びに会員カードＭＣの有価価値に関する情報を記憶管理する部分である。但し、本実施例では、プリペイドカードＰＣの情報管理は、プリペイドカード管理Ｔ／Ｃ２０が担っているものとする。
【００３１】
プリペイドカード管理Ｔ／Ｃ２０は、プリペイドカードの識別情報（プリペイドカードＩＤ）およびこのプリペイドカードの残度数を記憶管理する装置である。具体的には、カード処理ユニット５０からプリペイドカードＩＤとともに「度数減算指示」を受信したならば、当該プリペイドカードの残度数を貸出度数分について減算した後、カード処理ユニット５０に「度数減算完了通知」を返信する。なお、本実施例では、カードに記録した磁気データを改ざんするなどの不正行為を防止する観点から、プリペイドカードには「度数」を記録せず、プリペイドカードの識別情報のみを記録する構成を採用することとする。
【００３２】
ここで、本実施例１に係るカード処理ユニット５０は、玉貸要求を受け付けた玉貸要求金額を消費税が含まれた消費税内包玉貸要求金額としてパチンコ玉の貸し出しに課される消費税を徴収してパチンコ玉を貸し出す「消費税徴収対策」を行う場合に、消費税内包玉貸要求金額から当該消費税分の金額が除かれた消費税抜き玉貸要求金額に相当する貸玉数のうち、少なくとも「遊技機側投出機構」の投出単位に満たない端数分の遊技媒体を「処理装置側投出機構」に貸し出すように指示し、「処理装置側投出機構」によって投出される遊技媒体の払出し過程を個数表示するように制御する「個数表示制御処理」に主たる特徴があり、かかる「個数表示制御処理」によって、端数分の遊技媒体の払出し可否を明示し、もって遊技店と遊技客の間でトラブルが生じることを防止することができるようにしている。
【００３３】
この主たる特徴である「個数表示制御」を説明する前に、上記の「消費税徴収対策」を行った場合における「遊技機側投出機構」及び「処理装置側投出機構」の払出し内訳を説明する。
【００３４】
このカード処理ユニット５０は、「消費税抜き玉貸要求金額」に相当する貸玉数のうち、「遊技機側投出機構」の投出単位の倍数であり、かつ貸玉数に最も近い倍数となる玉数のパチンコ玉を「遊技機側投出機構」に貸し出すように指示するとともに、「遊技機側投出機構」の投出単位に満たずに投出不可能となる端数のパチンコ玉を「処理装置側投出機構」に貸し出すように指示している。
【００３５】
例えば、図２に示すように、玉貸要求を受け付けた玉貸要求金額が「１０００円」である場合（玉貸要求度数が「１０度数」である場合）に、カード処理ユニット５０は、消費税内包玉貸要求金額「１０００円」から消費税分の金額が除かれた消費税抜き玉貸要求金額「９５２．３８円（＝１０００円÷１．０５）」に相当する貸玉数「２３９個」のうち、「遊技機側投出機構」の投出単位（２５個／回）の倍数であり、かつ貸玉数に最も近い倍数となる玉数「２２５個」（２５個／回×９回）のパチンコ玉を「遊技機側投出機構」に貸し出すように指示するとともに、「遊技機側投出機構」の投出単位に満たずに投出不可能となる端数「１４個」のパチンコ玉を「処理装置側投出機構」に貸し出すように指示している。
【００３６】
このように、「消費税抜き玉貸要求金額」に相当する貸玉数のうち、「遊技機側投出機構」の投出単位に満たずに投出不可能となる端数の遊技媒体を「処理装置側投出機構」に貸し出すように指示することとしたのは、遊技媒体の貸玉数に変更があったことを明確に示し、遊技店による料金体系の変更（消費税サービス→消費税徴収）を遊技客に明示するためである。
【００３７】
その上で、かかるカード処理ユニット５０は、「遊技機側投出機構」の投出単位に満たずに投出不可能となる端数の遊技媒体を「処理装置側投出機構」から投出する際に、当該「処理装置側投出機構」による払出し過程を個数表示させる「個数表示制御」を行っている。
【００３８】
すなわち、図２に示した例で言えば、パチンコ機４０の玉投出機構部４５の投出単位に満たずに投出不可能となる端数は「１４個」となり、この端数分のパチンコ玉をカード処理ユニット５０の玉投出機構部（ノズル）５６Ａから投出することとなるが、本実施例１に係るカード処理ユニット５０では、１個のパチンコ玉を投出する度に、残個数「１４」→残個数「１３（点滅）」→残個数「１３」→・・・→残個数「０」というように払出し過程を所定の表示部にて残個数表示する。
【００３９】
このため、残個数「１４」から残個数「１３」の１個分のパチンコ玉を投出している状態で投出エラーが起こったとしても、この残個数「１３（点滅）」の残個数表示を行うので、遊技店の従業員は、残個数「１４」から残個数「１３」の投出中に投出エラーが生じ、払出しを行っていない状況を、また同様に、遊技客は、パチンコ玉「１個」の払出しを受けていないという状況を各々明確に把握することができ、遊技客が払出しを受けていないのにも拘わらず、その根拠を提示できないことにより遊技店からの払出しを受けることができないという事態を防止することが可能になる。
【００４０】
さらに、残個数表示が「０」になった場合にも、残個数「１４」→残個数「１３（点滅）」→残個数「１３」→・・・→残個数「０」というように払出し過程を残個数表示しているので、遊技客は、端数分の遊技媒体「１４個」すべての払出しを受けた旨を、また同様に、遊技店の従業員は、端数分の遊技媒体「１４個」すべての払出しが完了した旨を各々明確に把握することができ、遊技店が端数分の遊技媒体すべての払出しを行ったにも拘わらず、その根拠を提示できないことにより更なる払出しを行わねばならないという事態を防止することが可能である。
【００４１】
したがって、上記した従来技術の例で言えば、「遊技機側投出機構」による払出し過程を残度数表示するのみならず、「処理装置側投出機構」による払出し過程を個数表示するように制御することとしたので、上記した主たる特徴のように、端数分の遊技媒体の払出し可否を明示することができ、遊技店と遊技客の間でトラブルが生じることを防止することが可能になる。
【００４２】
（カード処理ユニットの構成）
続いて、図３を用いて、実施例１に係るカード処理ユニットの構成を説明する。図３は、実施例１に係るカード処理ユニット５０並びにパチンコ機４０の構成を示す機能ブロック図である。なお、本実施例１では、パチンコ機４０の機能は既存のものと同一であるので、カード処理ユニット５０と連動する動作以外は説明を省略する。
【００４３】
同図に示すように、このカード処理ユニット５０は、ＢＶユニット５１と、表示部５２と、入力部５３と、カードリーダ（以下、「Ｃ／Ｒ」と言う）５４と、通信制御ＩＦ部５５と、玉投出機構部（ノズル）５６と、残個数カウンタ５６Ｂと、記憶部５７と、制御部５８とを備える。
【００４４】
このうち、ＢＶユニット５１は、紙幣挿入口（図示せず）に挿入された紙幣の金種を識別する紙幣識別機であり、識別した挿入紙幣の金種を制御部５８に出力する。なお、挿入紙幣が偽造紙幣である場合には、当該紙幣を先の紙幣挿入口に返却する。
【００４５】
表示部５２は、各種の情報を表示する７セグメントＬＥＤなどの出力表示手段であり、例えば、Ｃ／Ｒ５４に挿入中のプリペイドカードもしくは会員カードの残度数表示を行う一方で、玉貸中には、表示制御部５８ｂによる表示制御をもとに貸玉数の残個数表示を行う。また、一度の玉貸操作で受け付ける玉貸要求金額（または玉貸要求度数）やＢＶユニット５１で識別された挿入貨幣の金額などの情報も適宜表示する。
【００４６】
入力部５３は、各種の情報を入力する操作ボタンなどの指示入力手段であり、例えば、一度の玉貸操作で受け付ける玉貸要求金額（または玉貸要求度数）の設定入力を受け付ける。なお、本実施例１では、パチンコ機４０の玉貸ボタン４１を介して玉貸要求を受け付けることとするが、本発明はこれに限定されるものではなく、この入力部５３を通じて玉貸要求を受け付けるようにしても良い。
【００４７】
Ｃ／Ｒ５４は、カード挿入口（図示せず）に挿入されたプリペイドカードや会員カードなどの各種カードに記録された情報を読み込むカードリーダであり、具体的には、これら各種カードからプリペイドカードの識別情報や会員カードの識別情報を読み込み、該読み込んだ情報を制御部５８に出力するものである。
【００４８】
通信制御ＩＦ部５５は、当該カード処理ユニット５０と他の装置（例えば、Ｔ／Ｃ１０、プリペイドカード管理Ｔ／Ｃ２０、島コントローラ３０およびパチンコ機４０などの装置）の間で各種通信の制御を行う処理部である。
【００４９】
玉投出機構部５６Ａは、カード処理ユニット５０に付設されるノズル式の玉投出機構であり、任意の投出単位でパチンコ玉を投出することができる。具体的には、玉貸し処理部５８ａによる玉貸し指示を受け付ける度にパチンコ玉を１個投出し、この際に、パチンコ玉の投出を正常に完了したならば、正常払出し応答を玉貸し処理部５８ａに返信する。なお、この玉投出機構部５６Ａは、特許請求の範囲における「処理装置側投出機構」に相当し、パチンコ機４０の玉投出機構部４５は、特許請求の範囲における「遊技機側投出機構」に相当する。
【００５０】
残個数カウンタ５６Ｂは、パチンコ機４０の貯留領域に投出すべき残個数のカウントダウンを行うレジスタである。具体的には、玉貸要求を受け付けたことを契機に玉貸要求金額に相当する貸玉数が初期のカウント数としてセットされ、その後、パチンコ玉が投出される度にカウント数をデクリメントしていく。したがって、残個数カウンタ５６Ｂのカウント数が「０」になった時には、パチンコ玉の払出しが完了したことを意味する。
【００５１】
例えば、玉貸要求金額が「１０００円」に設定されることとしたとき、パチンコ機４０の玉貸ボタン４１を通じて玉貸要求を受け付けたならば、玉貸し処理部５８ａによって消費税抜き玉貸要求金額「９５２．３８円」に相当する貸玉数「２３９個」が残個数カウンタ５６Ｂにセットされ、パチンコ機４０の玉投出機構部４５にて投出単位「２５個／回」分のパチンコ玉が投出される度にカウント数を２５ずつデクリメントされ、その後、カード処理ユニット５０の玉投出機構５６Ａにて投出単位「１個／回」分のパチンコ玉が投出される度にカウント数を１つずつデクリメントされていく。
【００５２】
記憶部５７は、制御部５８による各種処理に必要なデータおよびプログラムを格納する格納手段（記憶手段）であり、玉貸設定テーブル５７ａおよび貸玉数振り分けテーブル５７ｂを備える。
【００５３】
このうち、玉貸設定テーブル５７ａは、パチンコ玉の貸出設定を記憶するテーブルであり、例えば、図４に示すように、消費税の徴収可否「○」、消費税の税率「５％」および投出順序「遊技機優先」などの貸出設定を記憶している。
【００５４】
このように、ノズル式の玉投出機構部５６Ａおよびパチンコ機４０の玉投出機構部４５の投出順序を制御する理由は、かかる投出順序を考慮せずにパチンコ機４０の貯留領域にパチンコ玉を投出すると、パチンコ機４０の上皿の形状によっては、遊技客に不利益をあたえるおそれがあるからである。
【００５５】
これを具体的に説明すると、パチンコ機４０からパチンコ玉を先に貸し出した場合には、後に貸し出されるノズル式の玉投出機構部５６Ａからのパチンコ玉を、先に上皿に敷き詰められたパチンコ玉の上に貯留させることができる反面、パチンコ玉を上皿からあふれさせるおそれがあり、また、ノズル式の玉投出機構部５６Ａから先にパチンコ玉を貸し出した場合には、パチンコ玉を上皿にあふれさせずに貯留させることができる反面、下皿にもパチンコ玉が貯留されるため、パチンコ玉が下皿に置き忘れられるおそれがある。
【００５６】
このため、ノズル式の玉投出機構部５６Ａおよびパチンコ機４０の玉投出機構部４５からのパチンコ玉の投出順序をパチンコ機４０の上皿の形状に応じて制御する必要がある。
【００５７】
例えば、上皿の底面積が広い場合や上皿の高さが大きい場合には、パチンコ機４０の玉投出機構部４５に玉貸し指示を行った後に、ノズル式の玉投出機構部５６Ａに玉貸し指示を行う「遊技機優先」を投出順序として設定する。
【００５８】
この場合に、投出順序を「遊技機優先」と設定することとしたのは、上皿からパチンコ玉がこぼれる危険性が少ないことから、一度の玉貸しで貸し出したパチンコ玉を下皿に貯留させずに、上皿に集約して貯留させるためである。
【００５９】
一方、上皿の底面積が狭い場合や上皿の高さが小さい場合には、ノズル式の玉投出機構部５６Ａに玉貸し指示を行った後に、パチンコ機４０の玉投出機構部４５に玉貸し指示を行う「貸出機優先」を投出順序として採用する。
【００６０】
この場合に、投出順序を「貸出機優先」と設定することとしたのは、上皿からパチンコ玉がこぼれる危険性が高いことから、一度の玉貸しで貸し出すパチンコ玉すべてを上皿に貯留させずに、上皿からあふれるパチンコ玉を下皿に貯留させるためである。
【００６１】
後述する玉貸し処理部５８ａでは、このようにして玉貸設定テーブル５７ａに記憶された「投出順序」に基づいて、パチンコ機４０の玉投出機構部４５およびノズル式の玉投出機構部５６Ａに玉貸し指示を行う。
【００６２】
貸玉数振り分けテーブル５７ｂは、遊技客に貸し出すべき貸出総数のうち、ノズル式の玉投出機構部５６Ａが貸し出すべき玉数と、パチンコ機４０の玉投出機構部４５が貸し出すべき玉数との振り分け設定を記憶するテーブルである。
【００６３】
例えば、図５に示すように、玉貸要求を受け付けた「玉貸要求金額」ごとに、パチンコ機４０の玉投出機構部４５に指示すべき玉貸し指示の「回数」、並びにノズル式の玉投出機構部５６に指示すべき「貸玉数」を対応付けて記憶している。なお、本実施例１では、パチンコ機４０の玉投出機構部４５は、一回の玉貸し指示で「２５個」のパチンコ玉を投出することとする。
【００６４】
これら玉貸設定テーブル５７ａおよび貸玉数振り分けテーブル５７ｂに記憶される設定情報は、消費税の税率変更時、パチンコ機の遊技機種の入れ替え時やＴ／Ｃ１０の起動時など任意のタイミングでＴ／Ｃ１０から取得される。
【００６５】
制御部５８は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、玉貸し処理部５８ａと、表示制御部５８ｂとを有する。
【００６６】
このうち、玉貸し処理部５８ａは、遊技客からの玉貸要求を受け付けた場合に、パチンコ機４０にパチンコ玉を貸し出す処理部である。具体的には、「消費税抜き玉貸要求金額」に相当する貸玉数のうち、パチンコ機４０の玉投出機構部４５の貸出単位の倍数であり、かつ貸玉数に最も近い倍数となる玉数のパチンコ玉を玉投出機構部４５に貸し出すように指示するとともに、パチンコ機４０の玉投出機構部４５の投出単位に満たずに投出不可能となる端数分のパチンコ玉をノズル式の玉投出機構部５６Ａに貸し出すように指示する。なお、この玉貸し処理部５８ａは、特許請求の範囲における「貸出処理手段」に相当する。
【００６７】
例えば、図４に示す「貸出設定」が玉貸設定テーブル５７ａに記憶され、図５に示す「振り分け設定」が貸玉数振り分けテーブル５７ｂに記憶されている場合に、遊技客から玉貸要求額「１０００円」の玉貸要求を受け付けたならば、消費税抜き玉貸要求金額「９５２．３８円」に相当する貸玉数「２３９個」のうち、パチンコ機４０の玉投出機構部４５に「２５個／回」の玉貸し指示を「９回」行い、これら玉貸し指示「９回」すべてについて正常払出し応答を受け取った後に、ノズル式の玉投出機構部５６に「１個／回」の玉貸し指示を「１４回」行い、これら玉貸し指示「１４回」すべてについて正常払出し応答を受け取って玉貸し処理を終了する。
【００６８】
この結果、図１に示すように、パチンコ機４０の玉投出機構部４５によって投出単位「２５個／回」×玉貸し指示「９回」＝「２２５個」のパチンコ玉が投出された後に、ノズル式の玉投出機構部５６によって投出単位「１個／回」×玉貸し指示「１４回」＝「１４個」のパチンコ玉が投出され、消費税抜き玉貸要求金額「９５２．３８円」に相当する貸玉数「２３９個」がすべて払い出されることとなる。
【００６９】
表示制御部５８ｂは、表示部５２に表示制御を行う処理部であり、具体的には、玉貸し処理が行われていない時には、Ｃ／Ｒ５４に挿入中のプリペイドカードもしくは会員カードの残度数を表示部５２に表示させる残度数表示制御を行う一方で、玉貸し処理が行われている最中には、玉貸し処理部５８ａと連動して、パチンコ機４０による払出し過程及びカード処理ユニット５０による払出し過程を表示部５２に個数表示させる個数表示制御を行う。
【００７０】
この「個数表示制御」について具体的に説明すると、玉貸し処理部５８ａは、パチンコ機４０の玉貸ボタン４１を通じて玉貸要求を受け付けると、プリペイドカードに価値付けられた残度数の減算処理を行った後、貸玉数振り分けテーブル５７ｂに記憶された貸玉数「２３９個」を残個数カウンタ５６Ｂにセットする。なお、本実施例１では、玉貸設定テーブル５７ａにて投出順序が「遊技機優先」と設定されているので、「遊技機側投出機構」を用いた玉貸し・個数表示処理が行われた後に、「処理装置側投出機構」を用いた玉貸し・個数表示処理が行われる。
【００７１】
そして、表示制御部５８ｂは、貸玉数振り分けテーブル５７ｂに記憶された貸玉数「２３９個」が残個数カウンタ５６Ｂにセットされた後に、表示部５２の表示内容を残度数表示から残個数表示に切り替え、玉貸し処理部５８ａは、パチンコ機４０に対して玉貸し指示を送信する。例えば、図６に示す例で言えば、残度数表示「２０」から残個数カウント５６Ｂのカウント数「２３９」に表示部５２の表示内容が切り替えられる。
【００７２】
この後、表示制御部５８ｂは、今回の払出し完了後の残個数、すなわち現在の残個数からパチンコ機４０の玉投出機構部４５の投出単位の個数を減じた残個数を表示部５２にて点滅表示させる。例えば、図６に示すように、一度目の玉貸し指示を行った場合には、現在の残個数「２３９」からパチンコ機４０の玉投出機構部４５の投出単位である「２５個」を減じた残個数「２１４」を点滅表示する。なお、この玉貸し指示を受信したパチンコ機４０では、玉投出機構部４５にて投出単位である「２５個」のパチンコ玉を投出し、この時、２５個のパチンコ玉の投出を正常に完了したならば、正常払出し応答をカード処理ユニット５０に返信する。
【００７３】
ここで、玉貸し処理部５８ａは、パチンコ機４０から正常払出し応答を所定期間内に受信した場合に、残個数カウンタ５６Ｂのカウント数を「２５」デクリメントし、次いで、表示制御部５８ｂは、今回の払出し完了後の残個数（先の例で言えば、残個数「２１４」）を表示部５２にて点灯表示させる。
【００７４】
また、表示制御部５８ｂは、パチンコ機４０から正常払出し応答を所定期間内に受信しなかった場合には、今回の払出し完了後の残個数の点滅表示を継続しつつ、別途設けられたカード処理ユニット５０の投出状態（点滅：投出中、点灯：投出エラー）を示すランプを点灯させて投出エラーが生じた旨を従業員報知する。
【００７５】
その後、玉貸し処理部５８ａ及び表示制御部５８ｂは、残個数カウンタ５６Ｂのカウンタ数がパチンコ機４０の玉投出機構４５の投出単位未満、すなわち残個数カウンタ５６Ｂのカウンタ数が「１４」になるまで、上記の「遊技機側投出機構」を用いた玉貸し・個数表示処理を行った後、「処理装置側投出機構」を用いた玉貸し・個数表示処理に移行する。
【００７６】
この結果、貸玉数振り分けテーブル５７ｂに記憶された貸玉数「２３９個」のうち、パチンコ機４０の玉投出機構部４５の投出単位「２５個／回」×玉貸し指示「９回」を投出する払出し過程を、残個数「２３９」→残個数「２１４（点滅）」→残個数「２１４」→残個数「１８９（点滅）」→残個数「１８９」→・・・→残個数「３９」→残個数「１４（点滅）」→残個数「１４」というように表示部５２にて残個数表示させることができる。
【００７７】
また、表示制御部５８ｂは、パチンコ機４０における残度数表示部４３の表示制御も兼務している。例えば、図６に示すように、Ｃ／Ｒ５４に挿入中のプリペイドカード或いは会員カードの残度数が「２０度数」であるときに、玉貸要求度数が「１０度数」の玉貸要求が行われたならば、消費税抜き玉貸要求度数が「９．５２度数」であるので、一度目の玉貸し指示をパチンコ機４０に行った際には、残度数「２０」→残度数「１９」→残度数「１８（点滅）」→残度数「１８」というように、消費税分の度数「０．４８」を徴収した残度数「１９」に減数表示してからパチンコ機４０の玉投出機構部４５による投出分である１度数をさらに減数表示する。その後は、パチンコ機４０の玉投出機構部４５によって投出単位「１度数／回」が一回投出される度に、残度数「１８」→残度数「１７（点滅）」→残度数「１７」→・・・→残度数「１１」→残度数「１０（点滅）」→残度数「１０」というように「遊技機側投出機構」による払出し過程を残度数表示部４３にて残度数表示させる。
【００７８】
さらに、玉貸し処理部５８ａ及び表示制御部５８ｂは、「遊技機側投出機構」を用いた玉貸し・個数表示処理を行った後に、「処理装置側投出機構」を用いた玉貸し・個数表示処理を行う。
【００７９】
これを具体的に説明すると、玉貸し処理部５８ａは、残個数カウンタ５６Ｂのカウンタ数がパチンコ機４０の玉投出機構４５の投出単位未満になった場合（例えば、消費税が「５％」であるときに「１０度数」の玉貸しを行ったならば、貸玉数「２３９個」のうち、「遊技機側投出機構」の投出単位（２５個／回）の倍数であり、かつ貸玉数に最も近い倍数となる玉数「２２５個」を除いた玉数「１４個」に残個数カウンタ５６Ｂのカウンタ数が至った場合）に、カード処理ユニット５０に付設された玉投出機構部５６Ａに玉貸し指示を出力する。
【００８０】
その後、表示制御部５８ｂは、今回の払出し完了後の残個数、すなわち現在の残個数から玉投出機構部５６Ａの投出単位の個数を減じた残個数を表示部５２にて点滅表示させる。例えば、図６に示すように、一度目の玉貸し指示を行った場合には、現在の残個数「１４」から玉投出機構部５６Ａの投出単位である「１個」を減じた残個数「１３」を点滅表示する。なお、この玉貸し指示を受け付けた玉投出機構部５６Ａでは、投出単位である「１個」のパチンコ玉を投出し、この時、パチンコ玉「１個」を正常に投出完了したならば、正常払出し応答を玉貸し処理部５８ａに返信する。
【００８１】
ここで、玉貸し処理部５８ａは、玉投出機構部５６Ａから正常払出し応答を所定期間内に受信した場合に、残個数カウンタ５６Ｂのカウント数を「１」デクリメントし、次いで、表示制御部５８ｂは、今回の払出し完了後の残個数（先の例で言えば、残個数「１３」）を表示部５２にて点灯表示させる。
【００８２】
また、表示制御部５８ｂは、玉投出機構部５６Ａから正常払出し応答を所定期間内に受信しなかった場合には、今回の払出し完了後の残個数の点滅表示を継続しつつ、別途設けられたカード処理ユニット５０の投出状態（点滅：投出中、点灯：投出エラー）を示すランプを点灯させて投出エラーが生じた旨を従業員報知する。
【００８３】
その後、玉貸し処理部５８ａ及び表示制御部５８ｂは、残個数カウンタ５６Ｂのカウンタ数が「０」、すなわちパチンコ玉の貸出しが終了するまで、上記の「処理装置側投出機構」を用いた玉貸し・個数表示処理を行い、表示制御部５８ｂは、残個数カウンタ５６Ｂのカウンタ数が「０」になったならば、表示部５２の表示内容を残個数表示から残度数表示に切り替える。
【００８４】
この結果、パチンコ機４０の玉投出機構部４５の投出単位に満たずに投出不可能となる端数分のパチンコ玉「１４個」をカード処理ユニット５０の玉投出機構部５６Ａから投出することとなるが、この端数分の払出し過程を、残個数「１４」→残個数「１３（点滅）」→残個数「１３」→・・・→残個数「１」→残個数「０（点滅）」→残個数「０」というように表示部５２にて残個数表示させることができる。
【００８５】
このように、「処理装置側投出機構」よって投出されるパチンコ玉の払出し過程に加えて、「遊技機側投出機構」によって投出される遊技媒体の払出し過程を個数表示するように制御することで、全払出し過程の払出し可否を明示することができ、遊技店と遊技客の間でトラブルが生じることをより確実に防止することが可能になる。
【００８６】
（処理の流れ）
次に、本実施例１に係るカード処理ユニットの各種処理の流れを説明する。なお、ここでは、カード処理ユニット５０にて行われる（１）基本制御処理を説明してから、玉貸し処理部５８ａ及び表示制御部５８ｂによって行われる（２）「遊技機側投出機構」を用いた玉貸し・個数表示処理、並びに、（３）「処理装置側投出機構」を用いた玉貸し・個数表示処理を説明する。
【００８７】
（１）基本制御処理
前述したように、ここでは、図７を用いて、実施例１に係るカード処理ユニット５０の基本制御処理を説明する。図７は、実施例１に係るカード処理ユニット５０の基本制御処理の手順を示すフローチャートである。
【００８８】
同図に示すように、プリペイドカードや会員カードなどの各種カードを受け入れた場合、もしくは紙幣を受け入れた場合に、処理が開始されることとなる。なお、ここでは、玉貸設定テーブル５７ａに図４に示す「貸出設定」が記憶され、貸玉数振り分けテーブル５７ｂに図５に示す「振り分け設定」が記憶されている場合を例として説明する。
【００８９】
例えば、プリペイドカードまたは会員カードを受け入れた場合（ステップＳ７０１肯定）には、Ｃ／Ｒ５４は、プリペイドカードからプリペイドカードの識別情報を読み込み、該読み込んだ情報を制御部５８に出力する。
【００９０】
そして、制御部５８は、プリペイドカードの識別情報をもとに、当該プリペイドカードに価値付けられた残金額をプリペイドカード管理Ｔ／Ｃ２０から取得する（ステップＳ７０２）。
【００９１】
このとき、当該プリペイドカードに残度数があれば（ステップＳ７０３肯定）、制御部５８は、プリペイドカードの残度数を表示部５２にて表示させるとともに、パチンコ機４０の残度数表示部４３に通知し、残度数表示部４３にて当該残度数を表示させる（ステップＳ７０４）。また、当該プリペイドカードに残度数がなければ（ステップＳ７０３否定）、Ｃ／Ｒ５４は、このプリペイドカードを返却する（ステップＳ７０５）。
【００９２】
一方、紙幣を受け入れた場合（ステップＳ７０１否定かつステップＳ７０６肯定）には、ＢＶユニット５１は、挿入貨幣の金種を識別し、該識別した挿入貨幣の金種を制御部５８に出力する。
【００９３】
続いて、制御部５８は、ＢＶユニット５１によって識別された挿入貨幣の金額を新たなプリペイドカード（内蔵カード）に価値付け（ステップＳ７０７）、価値付けられた金額を残度数として表示部５２にて表示させるとともに、パチンコ機４０の残度数表示部４３にその残度数を通知し、残度数表示部４３にて当該残度数を表示させる（ステップＳ７０４）。
【００９４】
より具体的には、挿入貨幣の金額および内蔵カードの識別情報をプリペイドカード管理Ｔ／Ｃ２０に通知し、当該内蔵カードの識別情報に対応する残度数に挿入貨幣の金額分の度数を加算する加算処理をプリペイドカード管理Ｔ／Ｃ２０に行わせて内蔵カードへの価値付けを行う。
【００９５】
ここで、遊技客から玉貸要求を受け付けた場合、例えばパチンコ機４０の玉貸ボタンを介して貸出要求度数「１０度数」の玉貸要求を受け付けた場合（ステップＳ７０８肯定）には、玉貸し処理部５８ａは、プリペイドカード管理Ｔ／Ｃ２０に対してプリペイドカードの識別情報の残度数から玉貸要求度数「１０度数」を減算するよう要求し、プリペイドカード管理Ｔ／Ｃ２０に当該度数の減算を行わせる（ステップＳ７０９）。なお、この時、玉貸し処理部５８ａは、貸玉数振り分けテーブル５７ｂに記憶された貸玉数「２３９個」を残個数カウンタ５６Ｂにセットする。
【００９６】
続いて、玉貸し処理部５８ａ及び表示制御部５８ｂは、「遊技機側投出機構」を用いた玉貸し・個数表示処理を行った後に（ステップＳ７１０）、「処理装置側投出機構」を用いた玉貸し・個数表示処理を行う（ステップＳ７１１）。
【００９７】
この場合、図２に示すように、パチンコ機４０の玉投出機構部４５によって投出単位「２５個／回」×玉貸指示「９回」＝「２２５個」のパチンコ玉が投出された後に、ノズル式の玉投出機構部５６によって「１４個」のパチンコ玉が投出されることとなる。
【００９８】
なお、この処理は、パチンコ機４０の返却ボタン４２が押下され、プリペイドカードが返却されるか、或いはプリペイドカードの残度数がゼロになるまで、ステップＳ７０８〜Ｓ７１１の処理が回帰的に行われる。
【００９９】
（２）「遊技機側投出機構」を用いた玉貸し・個数表示処理
次に、図８を用いて、本実施例１に係る「遊技機側投出機構」を用いた玉貸し・個数表示処理を説明する。図８は、実施例１に係る「遊技機側投出機構」を用いた玉貸し・個数表示処理の手順を示すフローチャートである。この処理は、（１）基本制御処理におけるステップＳ７１０の処理に相当し、貸玉数振り分けテーブル５７ｂに記憶された貸玉数「２３９個」が残個数カウンタ５６Ｂのカウント数としてセットされた場合に開始される。
【０１００】
同図に示すように、表示制御部５８ｂは、貸玉数振り分けテーブル５７ｂに記憶された貸玉数「２３９個」が残個数カウンタ５６Ｂにセットされた後に、表示部５２の表示内容を残度数表示から残個数表示に切り替え（ステップＳ８０１）、玉貸し処理部５８ａは、パチンコ機４０に対して玉貸し指示を送信する（ステップＳ８０２）。
【０１０１】
この後、表示制御部５８ｂは、今回の払出し完了後の残個数、すなわち現在の残個数からパチンコ機４０の玉投出機構部４５の投出単位の個数を減じた残個数を表示部５２にて点滅表示させる（ステップＳ８０３）。なお、この玉貸し指示を受信したパチンコ機４０では、玉投出機構部４５にて投出単位である「２５個」のパチンコ玉を投出し、この時、２５個のパチンコ玉の投出を正常に完了したならば、正常払出し応答をカード処理ユニット５０に返信する。
【０１０２】
ここで、パチンコ機４０から正常払出し応答を所定期間内に受信した場合（ステップＳ８０４肯定）に、玉貸し処理部５８ａは、残個数カウンタ５６Ｂのカウント数を「２５」デクリメントし（ステップＳ８０５）、次いで、表示制御部５８ｂは、今回の払出し完了後の残個数を表示部５２にて点灯表示させる（ステップＳ８０６）。
【０１０３】
一方、パチンコ機４０から正常払出し応答を所定期間内に受信しなかった場合（ステップＳ８０４否定）には、表示制御部５８ｂは、今回の払出し完了後の残個数の点滅表示を継続しつつ、別途設けられたカード処理ユニット５０の投出状態（点滅：投出中、点灯：投出エラー）を示すランプを点灯させて投出エラーが生じた旨を従業員報知する（ステップＳ８０７）。
【０１０４】
その後、玉貸し処理部５８ａ及び表示制御部５８ｂは、残個数カウンタ５６Ｂのカウンタ数がパチンコ機４０の玉投出機構４５の投出単位未満になる（ステップＳ８０８肯定）まで、上記のステップＳ８０２〜Ｓ８０７までの処理を繰り返し行い、「処理装置側投出機構」を用いた玉貸し・個数表示処理に移行する。
【０１０５】
（３）「処理装置側投出機構」を用いた玉貸し・個数表示処理
次に、図９を用いて、本実施例１に係る「処理装置側投出機構」を用いた玉貸し・個数表示処理を説明する。図９は、実施例１に係る「処理装置側投出機構」を用いた玉貸し・個数表示処理の手順を示すフローチャートである。この処理は、（１）基本制御処理におけるステップＳ７１１の処理に相当し、残個数カウンタ５６Ｂのカウンタ数がパチンコ機４０の玉投出機構４５の投出単位未満になった場合に開始される。
【０１０６】
同図に示すように、玉貸し処理部５８ａは、残個数カウンタ５６Ｂのカウンタ数がパチンコ機４０の玉投出機構４５の投出単位「２５個」未満になった場合に、カード処理ユニット５０に付設された玉投出機構部５６Ａに玉貸し指示を出力する（ステップＳ９０１）。
【０１０７】
その後、表示制御部５８ｂは、今回の払出し完了後の残個数、すなわち現在の残個数から玉投出機構部５６Ａの投出単位の個数を減じた残個数を表示部５２にて点滅表示させる（ステップＳ９０２）。なお、この玉貸し指示を受け付けた玉投出機構部５６Ａでは、投出単位である「１個」のパチンコ玉を投出し、この時、パチンコ玉「１個」を正常に投出完了したならば、正常払出し応答を玉貸し処理部５８ａに返信する。
【０１０８】
ここで、玉投出機構部５６Ａから正常払出し応答を所定期間内に受信した場合（ステップＳ９０３肯定）に、玉貸し処理部５８ａは、残個数カウンタ５６Ｂのカウント数を「１」デクリメントし（ステップＳ９０４）、次いで、表示制御部５８ｂは、今回の払出し完了後の残個数を表示部５２にて点灯表示させる（ステップＳ９０５）。
【０１０９】
また、玉投出機構部５６Ａから正常払出し応答を所定期間内に受信しなかった場合（ステップＳ９０３否定）には、表示制御部５８ｂは、今回の払出し完了後の残個数の点滅表示を継続しつつ、別途設けられたカード処理ユニット５０の投出状態（点滅：投出中、点灯：投出エラー）を示すランプを点灯させて投出エラーが生じた旨を従業員報知する（ステップＳ９０６）。
【０１１０】
その後、玉貸し処理部５８ａ及び表示制御部５８ｂは、残個数カウンタ５６Ｂのカウンタ数が「０」、すなわちパチンコ玉の貸出しが終了する（ステップＳ９０７肯定）まで、上記のステップＳ９０１〜Ｓ９０６の処理を繰り返し行い、残個数カウンタ５６Ｂのカウンタ数が「０」になったならば、表示制御部５８ｂは、表示部５２の表示内容を残個数表示から残度数表示に切り替え（ステップＳ９０８）、（１）の基本制御処理におけるステップＳ７０８に戻る。
【０１１１】
上述してきたように、本実施例１に係るカード処理ユニット５０によれば、消費税内包玉貸要求金額から当該消費税分の金額が除かれた消費税抜き玉貸要求金額に相当する貸玉数のうち、少なくとも「遊技機側投出機構」の投出単位に満たない端数分の遊技媒体を「処理装置側投出機構」に貸し出すように指示し、「処理装置側投出機構」によって投出される遊技媒体の払出し過程を表示部５２にて個数表示させるように構成したので、端数分の遊技媒体の払出し可否を明示することができ、遊技店と遊技客の間でトラブルが生じることを防止することが可能になる。
【０１１２】
さらに、本実施例１に係るカード処理ユニット５０によれば、「処理装置側投出機構」よって投出されるパチンコ玉の払出し過程に加えて、「遊技機側投出機構」によって投出される遊技媒体の払出し過程を表示部５２にて個数表示させるように構成したので、全払出し過程の払出し可否を明示することができ、遊技店と遊技客の間でトラブルが生じることをより確実に防止することが可能になる。
【実施例２】
【０１１３】
さて、これまで本発明の実施例について説明したが、本発明は上述した実施例以外にも、種々の異なる形態にて実施されてよいものである。そこで、以下では、本発明に含まれる他の実施例を説明する。
【０１１４】
例えば、上記の実施例１では、「処理装置側投出機構」よる払出し過程に加えて、「遊技機側投出機構」による払出し過程を個数表示させる実施例について説明したが、本発明はこれに限定されるものではなく、「処理装置側投出機構」よる払出し過程を個数表示させるのに対し、「遊技機側投出機構」による払出し過程を残度数表示させるようにしてもよい。すなわち、これによって、「遊技機側投出機構」及び「処理装置側投出機構」における投出切換えの契機を明示することができ、遊技店による消費税の徴収行為を明示しながらも端数分の遊技媒体の払出し可否を明示することが可能になる。
【０１１５】
また、上記の実施例１では、「処理装置側投出機構」による払出し過程をカード処理ユニット５０の表示部５２にて個数表示させる例を説明したが、本発明はこれに限定されるものではなく、「処理装置側投出機構」による払出し過程をパチンコ機４０に設けられた所定の表示部にて個数表示させるようにしてもよい。これにより、遊技客はパチンコ機４０側だけを見て遊技を継続しながら、カード処理ユニット５０からの遊技媒体の払出し過程を目視確認できる。さらに、「処理装置側投出機構」による払出し過程を個数表示させる表示部は、既存の表示部に限定されるものではなく、カード処理ユニット５０またはパチンコ機４０に新たに設けられた表示部であってもかまわない。
【０１１６】
なお、上記の実施例１では、「処理装置側投出機構」による払出し過程を残個数表示することとしたが、本発明はこれに限定されるものではなく、払出し完了個数をカウントアップ表示することで、「処理装置側投出機構」による払出し過程を個数表示するようにしてもよい。
【０１１７】
また、上記の実施例１では、「遊技機側投出機構」からの投出を行った後に、「処理装置側投出機構」からの投出を行う例に本発明を適用した実施例を説明したが、本発明はこれに限定されるものではなく、いずれの投出機構による投出が先もしくは後であっても本発明を同様に適用することができる。
【０１１８】
なお、上記の実施例１では、消費税が徴収されていない状態、すなわち「１００円」を１度数表示する例に本発明を適用する場合について説明したが、本発明はこれに限定されるものではなく、消費税が除かれた状態、すなわち「９５．２円」を１度数表示する場合にも本発明を同様に適用することができる。
【０１１９】
また、上記の実施例１では、消費税の税率を「５％」とした場合の実施例について説明したが、本発明はこれに限定されるものではなく、消費税の税率が任意の税率である場合にも同様に適用することができる。
【０１２０】
なお、実施例１では、パチンコ機４０の玉投出機構部４５から、当該玉投出機構部４５の投出単位の倍数であり、かつ貸玉数に最も近い倍数となる玉数のパチンコ玉を貸し出す実施例について説明したが、本発明はこれに限定されるものではなく、当該玉投出機構部４５の投出単位の倍数であれば、必ずしも貸出数に最も近い倍数である必要はない。すなわち、玉投出機構部４５から貸し出す玉数を減らす場合には、ノズル式の玉投出機構部５６Ａからその分の玉数を貸し出すようにすれば良い。
【０１２１】
例えば、本発明では、ノズル式の玉投出機構部５６Ａを着脱可能に構成し、消費税徴収時のみにカード処理ユニット５０に取り付けるようにしても良いし、また、ノズル式の玉投出機構部５６Ａに故障などのトラブルが生じ、調整分のパチンコ玉をノズルから払い出せない場合には、消費税の徴収を行わずに、パチンコ機４０の玉投出機構４５から全てのパチンコ玉を貸し出すようにしても良い。
【０１２２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１２３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２４】
以上のように、本発明に係る遊技媒体貸出処理装置及び遊技媒体貸出処理方法は、端数分の遊技媒体の払出し可否を明示し、もって遊技店と遊技客の間でトラブルが生じることを防止することができる遊技媒体貸出処理装置及び遊技媒体貸出処理方法に適している。
【図面の簡単な説明】
【０１２５】
【図１】本発明に係る遊技システムの概略構成を示すブロック図である。
【図２】実施例１に係るカード処理ユニット５０の概要および特徴を説明するための説明図である。
【図３】実施例１に係るカード処理ユニット５０並びにパチンコ機４０の構成を示す機能ブロック図である。
【図４】玉貸設定テーブルに記憶される情報の構成例を示す図である。
【図５】貸玉数振り分けテーブルに記憶される情報の構成例を示す図である。
【図６】表示制御部５８ｂによる残個数表示を説明するための説明図である。
【図７】実施例１に係るカード処理ユニット５０の基本制御処理の手順を示すフローチャートである。
【図８】実施例１に係る「遊技機側投出機構」を用いた玉貸し・個数表示処理の手順を示すフローチャートである。
【図９】実施例１に係る「処理装置側投出機構」を用いた玉貸し・個数表示処理の手順を示すフローチャートである。
【符号の説明】
【０１２６】
１    遊技システム
１０    Ｔ／Ｃ（ターミナルコントローラ）
２０    プリペイドカード管理Ｔ／Ｃ
３０    島コントローラ
４０    遊技機（パチンコ機）
５０    カード処理ユニット
５１    ＢＶユニット
５２    表示部
５３    入力部
５４    Ｃ／Ｒ（カードリーダ）
５５    通信制御ＩＦ部
５６Ａ  玉投出機構部
５６Ｂ  残個数カウンタ
５７    記憶部
５７ａ  玉貸設定テーブル
５７ｂ  貸玉数振り分けテーブル
５８    制御部
５８ａ  玉貸し処理部
５８ｂ  表示制御部
【図１】
2007289514.tif 000003
【図２】
2007289514.tif 000004
【図３】
2007289514.tif 000005
【図４】
2007289514.tif 000006
【図５】
2007289514.tif 000007
【図６】
2007289514.tif 000008
【図７】
2007289514.tif 000009
【図８】
2007289514.tif 000010
【図９】
2007289514.tif 000011